(57)【要約】【課題】製造コストの増加を抑制しながら較正精度を改善する。【解決手段】較正用具２０は外殻２１を有する。外殻２１は挿入孔２５を有する容器状に形成される。外殻２１は受圧部と注入口２７とを有する。受圧部は挿入孔２５からセンサを挿入する際にセンサに当接してセンサからかかる力を受ける。注入口２７は較正用具２０を基準液内に入れる際に基準液を内部に注入させる。【選択図】図２
2014228388.tif 000002
【特許請求の範囲】
【請求項１】
被験液に含まれる特定の物質の量を検出するセンサを基準液によって較正させるための較正用具であって、
前記センサを挿入させ得る挿入孔を有する容器状に形成され、前記挿入孔から前記センサを挿入する際に前記センサに当接して前記センサからかかる力を受ける受圧部と、前記センサを前記受圧部に当接させた状態で前記センサの先端側から前記較正用具を基準液内に入れる際に前記基準液を内部に注入させる注入口とを有する外殻を備える
ことを特徴とする較正用具。
【請求項２】
請求項１に記載の較正用具であって、
前記注入口は、前記注入口から前記基準液が噴出する
ことを特徴とする較正用具。
【請求項３】
請求項２に記載の較正用具であって、
前記注入口は、前記噴出の方向が前記センサの検出部となる位置に設けられる
ことを特徴とする較正用具。
【請求項４】
請求項1から請求項３のいずれか１項に記載の較正用具であって、
前記外殻は、前記センサを前記受圧部に当接させる際に、前記センサによって封止される排出口を有する
ことを特徴とする較正用具。
【請求項５】
請求項１から請求項４のいずれか１項に記載の較正用具であって、
前記注入口は前記外殻の内部に突出する
ことを特徴とする較正用具。
【請求項６】
請求項５に記載の較正用具であって、
前記注入口は、前記外殻に形成される嵌合孔に、高さ方向に貫通した錐体を嵌合することにより形成される
ことを特徴とする較正用具。
【請求項７】
請求項１から請求項６のいずれか１項に記載の較正用具であって、
前記基準液の液面から前記較正用具を離間させる方向に作用する弾性体に係合する係合部を、さらに備える
ことを特徴とする較正用具。
【請求項８】
請求項２から請求項７のいずれか１項に記載の較正用具であって、
前記注入口から噴出する前記基準液が前記検出部に当たる方向を向くように、前記センサを前記較正用具に挿入させるためのガイドを、さらに備える
ことを特徴とする較正用具。
【請求項９】
請求項１から請求項８のいずれか１項に記載の較正用具であって、
前記注入口の内径および長さの少なくとも一方は、前記基準液の物性に基づいて定められる
ことを特徴とする較正用具。
【発明の詳細な説明】
【技術分野】
【０００１】
本発明は、被験液に含まれる特定の物質の量を検出するセンサの、基準液による較正に用いる較正用具に関するものである。
【背景技術】
【０００２】
グルコース計、尿糖計などのように被験液に含まれる特定の物質の量を検出するバイオセンサなどのセンサは、感度のばらつき、および経時変化により、検出に誤差が生じる。それゆえ、当該センサは、定期的に較正する必要がある。当該センサの較正においては、当該センサの検出部に特定の物質の量が既知である基準液を掛け、そのときの検出部の出力値に基づいて、当該センサ全体としての検出値が調整される。検出部に基準液を掛けるための従来の工程では、ユーザがピペットなどを用いて基準液を検出部に滴下することが一般的である（特許文献１参照）。
【先行技術文献】
【特許文献】
【０００３】
【特許文献１】特開２００８−１７５８０１号公報
【発明の概要】
【発明が解決しようとする課題】
【０００４】
しかし、このような方法では、検出部への基準液の滴下の精度、例えば液量および位置の精度は、ユーザの技量によりばらつきを生じる。このようなユーザの技量によるばらつきは、最終的に較正精度を低下させる。
【０００５】
そこで、検出部に基準液を掛けるための方法として、センサを基準液に浸漬させることも提案されている。検出部はセンサの筐体から窪ませた部位に設けられることが多く、窪みに僅かながら残り得る保存液と基準液とが十分に液交換されることが求められるが、センサを基準液に浸漬させる方法では十分な液交換が難しい。センサを基準液に浸漬させた状態で攪拌することも考えられるが、攪拌による液交換の交換量もユーザの技量に応じたばらつきが生じ得る。センサを浸漬させた状態でモータを用いて拡散することも考えられるが、モータの設置は較正用具の製造コストを増加させる。
【０００６】
本発明は、かかる観点に鑑みてなされたもので、製造コストの増加を抑制しながら、較正精度を改善させる較正用具を提供することを目的とするものである。
【課題を解決するための手段】
【０００７】
上述した諸課題を解決すべく、第１の観点による較正用具は、
被験液に含まれる特定の物質の量を検出するセンサを基準液によって較正させるための較正用具であって、
前記センサを挿入させ得る挿入孔を有する容器状に形成され、前記挿入孔から前記センサを挿入する際に前記センサに当接して前記センサからかかる力を受ける受圧部と、前記センサを前記受圧部に当接させた状態で前記センサの先端側から前記較正用具を基準液内に入れる際に前記基準液を内部に注入させる注入口とを有する外殻を備える
ことを特徴とするものである。
【０００８】
また、第２の観点による較正用具において、
前記注入口は、前記注入口から前記基準液が噴出する
ことが好ましい。
【０００９】
また、第３の観点による較正用具において、
前記注入口は、前記噴出の方向が前記センサの検出部となる位置に設けられる
ことが好ましい。
【００１０】
また、第４の観点による較正用具において、
前記外殻は、前記センサを前記受圧部に当接させる際に、前記センサによって封止される排出口を有する
ことが好ましい。
【００１１】
また、第５の観点による較正用具において、
前記注入口は前記外殻の内部に突出する
ことが好ましい。
【００１２】
また、第６の観点による較正用具において、
前記注入口は、前記外殻に形成される嵌合孔に、高さ方向に貫通した錐体を嵌合することにより形成される
ことが好ましい。
【００１３】
また、第７の観点による較正用具において、
前記基準液の液面から前記較正用具を離間させる方向に作用する弾性体に係合する係合部を、さらに備える
ことが好ましい。
【００１４】
また、第８の観点による較正用具において、
前記注入口から噴出する前記基準液が前記検出部に当たる方向を向くように、前記センサを前記較正用具に挿入させるためのガイドを、さらに備える
ことが好ましい。
【００１５】
また、第９の観点による較正用具において、
前記注入口の内径および長さの少なくとも一方は、前記基準液の物性に基づいて定められる
ことが好ましい。
【発明の効果】
【００１６】
本発明によれば、製造コストの増加を抑制しながら、較正精度を改善可能である。
【図面の簡単な説明】
【００１７】
【図１】本発明の第１の実施形態に係る較正用具の使用状態を示す説明図である。
【図２】図１の較正用具を斜方から見た透視図である。
【図３】図２のIII―III線に沿った断面図である。
【図４】較正用具の使用方法を示す第１の説明図である。
【図５】較正用具の使用方法を示す第２の説明図である。
【図６】較正用具の使用方法を示す第３の説明図である。
【図７】較正用具の使用方法を示す第４の説明図である。
【図８】較正用具の使用方法を示す第５の説明図である。
【図９】較正用具の使用方法を示す第６の説明図である。
【図１０】第１の実施形態に係る較正用具の使用状態を示す説明図である。
【図１１】図１０の較正用具を斜方から見た透視図である。
【図１２】図１０のスタンドの上面図である。
【発明を実施するための形態】
【００１８】
以下、本発明の実施の形態について、図を参照して説明する。
【００１９】
図１は、本発明の第１の実施形態に係る較正用具の使用状態を示す説明図である。前述のように、被験液に含まれる特定の物質の量を検出するセンサ１０は、検出精度を維持するために、適当な頻度で較正する必要がある。第１の実施形態に係る較正用具２０は、センサ１０の検出部１１に基準液を掛けるための工程において用いられる。当該工程において、センサ１０が較正用具２０に挿入され、較正用具２０に挿入させたままセンサ１０は容器１２内の基準液に浸される。後述するように、較正用具２０を挿入させたままセンサ１０を基準液に浸すことにより、検出部１１に基準液が掛かる。
【００２０】
次に、図２を用いて、較正用具２０の構成について以下に説明する。較正用具２０は、外殻２１およびガイド２２を含んで構成される。
【００２１】
外殻２１は、平板状の底壁部２３および円筒状の側壁部２４によって構成される（図３参照）。外殻２１は、側壁部２４の円筒の一端を底壁部２３により閉じた容器状の形状を有する。側壁部２４の開口端、すなわち側壁部２４における底壁部２３とは反対側の端部は、センサ１０を挿入するための挿入孔２５として機能する。
【００２２】
底壁部２３の内面ＩＳは較正用具２０の受圧部として機能し、センサ１０の較正用具２０内への挿入時にセンサ１０の先端と当接する。受圧部として機能する底壁部２３内面は、センサ１０の先端と当接し、センサ１０から底壁部２３にかかる力を受ける。底壁部２３の外面ＯＳは較正用具２０の係合部として機能し、後述するように、使用時に基準液の液面から較正用具２０を離間させる方向に作用する弾性体に係合する。底壁部２３は中央に内面ＩＳから外面ＯＳに貫通する排出口２６を有する。排出口２６は、センサ１０が底壁部２３に当接させることにより封止される。
【００２３】
側壁部２４には、注入口２７が設けられる。注入口２７は、側壁部２４に形成される嵌合孔２８に錐体２９を密着させるように嵌めることにより、形成される。嵌合孔２８は側壁部２４の外側から内側に向けて内径が小さくなる。錐体２９は錐体２９の高さ方向に沿って貫通している。錐体２９は、側壁部２４の内面より内部に突出する。注入口２７は、センサ１０を受圧部（底壁部２３内面）に当接させた状態で、センサ１０の先端側、即ち底壁部２３側から基準液内に較正用具２０を浸すときに、外殻２１内に基準液を噴出させる。注入口２７は、噴出する基準液（符号“ＳＬ”参照）が、受圧部（底壁部２３内面）に当接したセンサ１０の検出部１１に衝突可能となる位置に形成される。なお、検出部１１は、被験液などの液体との接触面および接触面を底部に有する窪み状の液だまりによって構成されている。注入口２７の長さおよび内径は、基準液の物性例えば粘度および濃度に応じて、基準液を噴出させ始める注入口２７の液面からの深さが所望の範囲となるように定められる。
【００２４】
ガイド２２は、例えば、側壁部２４の挿入孔２５側の内部に設けられる。ガイド２２は、検出部１１が注入口２７側を向くようにセンサ１０が較正用具２０に挿入されるように、センサ１０を案内する。
【００２５】
以上のような構成の第１の実施形態の較正用具によれば、以下に説明するように、較正精度を改善可能である。
【００２６】
図４に示すように、センサ１０の較正に用いる基準液の容器１２内には、例えばバネなどの弾性体１３が載置される。弾性体１３の上端は、基準液の液面Ｌｖより上方である。図５に示すように、弾性体１３上に較正用具２０を載置すると、較正用具２０は液面Ｌｖの上方に支持される。
【００２７】
この状態から、ユーザが較正用具２０にセンサ１０を挿入し、較正用具２０とともにセンサ１０を押し下げるとき、較正用具２０には弾性体１３から上方への力が付勢される（図６参照）。弾性体１３からの上方への力の付勢により、センサ１０と排出口２６とが密着し排出口２６が封止される。
【００２８】
図７に示すように、ユーザが較正用具２０とともにセンサ１０を押下げていくと、注入口２７が基準液の液面Ｌｖから所定の深さに達するときに、表面張力により注入口２７に留まっていた基準液が外殻２１内部に噴出する。基準液の例えば流量などの勢いは液面Ｌｖと注入口２７の間隔により定まるので、基準液の勢いは一定の範囲内である。それゆえ、墳出した基準液は一定の範囲の勢いで検出部１１に衝突する。
【００２９】
検出部１１が基準液に浸かった状態（図８参照）で、ユーザがセンサ１０の較正操作の入力をすることにより自動的に較正を行うように、センサ１０は構成されている。較正操作の入力後、ユーザがセンサ１０を較正用具２０から引抜くと、排出口２６の封止が解除され、外殻２１内部に流入した基準液が排出口２６を介して排出される（図９参照）。
【００３０】
上述のように、較正用具２０は基準液を一定の範囲内の勢いで検出部１１に衝突させるので、検出部１１の液交換の交換量に生じるユーザの技量によるばらつきを抑制可能である。交換量のばらつきが抑制されるので、較正精度を改善可能である。
【００３１】
また、第１の実施形態の較正用具によれば、係合部（底壁部２３外面）を備えるので、較正用具２０を基準液の液面Ｌｖから離間させる弾性体１３と係合可能である。弾性体１３と係合することにより、較正用具２０には、基準液の液面Ｌｖから離間させる力が弾性体１３から付勢される。それゆえ、較正後にユーザがセンサ１０のみを引抜くときに、較正用具２０も弾性体１３により跳上げられ、基準液の容器１２内から較正用具２０を容易に回収可能である。また、排出口２６があるため浮力の得られない較正用具２０に、液面Ｌｖから離間させる力を付勢するので、ユーザが較正用具２０を押さえなくても較正用具２０のセンサ１０からの離間が防がれる。それゆえ、ユーザが較正用具２０を押さえなくても、センサ１０の受圧部（底壁部２３内面）への当接および当該当接による排出口２６の封止を維持可能である。
【００３２】
また、第１の実施形態の較正用具によれば、排出口２６を有するので、較正用具２０を基準液から引上げるときに、外殻２１内に流入した基準液が自動的に排出される。
【００３３】
また、第１の実施形態の較正用具によれば、ガイド２２を備えるので、基準液を検出部１１に当たる方向を向くような、較正用具２０に対するセンサ１０の挿入が容易である。
【００３４】
また、第１の実施形態の較正用具によれば、注入口２７が外殻２１の内部に突出するので、基準液が側壁部２４の内面を伝うことを抑制し、検出部１１における液交換を効果的に行えるように、基準液を噴付ける勢いを得ることが可能である。
【００３５】
また、第１の実施形態の較正用具によれば、注入口２７は、外殻２１に形成される嵌合孔２８に錐体２９を嵌合させることにより形成されるので、多様な形状の注入口２７の形成が容易となる。例えば、上述のように内部に突出する注入口２７を一体成型で製造することは難しいが、本実施形態の構成によればこのような形状であっても製造は容易である。また、円筒を嵌合孔２８に挿入した構成に比較して、錐体２９を嵌合孔２８に圧入する本実施形態の構成の方が、密封性を高めることが容易である。
【００３６】
また、第１の実施形態の較正用具によれば、注入口２７の長さおよび内径の少なくとも一方が基準液の物性に基づいて定められるので、多様な種類の基準液、または多様な濃度の基準液を用いる場合に、検出部１１における液交換を効果的に行い得る勢いで基準液を噴出させることが可能である。
【００３７】
次に、本発明の第２の実施形態について説明する。第２の実施形態では係合部およびガイドの構成が第１の実施形態と異なっている。以下に、第１の実施形態と異なる点を中心に第２の実施形態について説明する。なお、第１の実施形態と同じ構成を有する部位には同じ符号を付す。
【００３８】
図１０に示すように、較正用具２００は、センサ１０を載置する専用のスタンド１４０内で側壁部２４の高さ方向に沿って変位可能に支持された状態で使用される。スタンド１４０内には、基準液入りの容器１２０を設置可能であり、第１の実施形態と同様に、スタンド１４０に支持された較正用具２００にセンサ１０を挿入し、さらに較正用具２００とともにセンサ１０を容器１２０内の基準液に浸すことにより、検出部１１に基準液が掛けられる。
【００３９】
次に、図１１を用いて、較正用具２００の構成について以下に説明する。較正用具２００は、外殻２１、ガイド２２０、および係合部３００を含んで構成される。外殻２１の形状および構成は、第１の実施形態と同じである。
【００４０】
図１２に示すように、センサ１０を載置するスタンド１４０には、ガイド孔１５０が形成される。ガイド孔１５０は、スタンド１４０を想定した状態に立てたときに、スタンド１４０の上下方向に延びる孔である。ガイド孔１５０はスタンド１４０の上下方向に沿ったガイド溝部１６０を有する。較正用具２００のガイド２２０は、側壁部２４の挿入孔２５側の側壁部２４の外面に形成され（図１１参照）、ガイド溝部１６０に嵌合する（図１０参照）。較正用具２００は、ガイド２２０をガイド溝部１６０に沿わすことにより上下に変位可能である。スタンド１４０は把持部１７０を有しており、ガイド２２０をガイド溝部１６０に嵌合させた状態でスタンド１４０を把持部１７０の形状に合わせて把持させることにより、センサ１０の検出部１１が較正用具２００の注入口２７側を向くように、センサ１０を較正用具２０に挿入させることが可能である。したがって、ガイド２２０は、注入口２７から噴出する基準液が検出部１１に衝突するように、センサ１０を較正用具２００に挿入させ得る。
【００４１】
係合部３００は、ガイド２２０の端部近傍に形成される（図１１参照）。係合部３００は、スタンド１４０に取付けられるバネなどの弾性体１３０に係合し、較正用具２００をガイド孔１５０に沿って変位可能に懸架させる（図１０参照）。
【００４２】
以上のような構成の第２の実施形態の較正用具によっても、第１の実施形態と同様に、較正精度を改善可能である。また、第２の実施形態の較正用具によっても、係合部３００を備えるので、基準液の容器１２０内から較正用具２００を容易に回収可能であり、またユーザが較正用具２００を押さえなくてもセンサ１０の受圧部への当接および当該当接による排出口２６の封止を維持可能である。また、第２の実施形態の較正用具によっても、排出口２６を有するので、外殻２１内に流入する基準液を排出可能である。また、第２の実施形態の較正用具によっても、ガイド２２０を備えるので、較正用具２００に対するセンサ１０の位置合わせが容易である。また、第２の実施形態の較正用具によっても、注入口２７が外殻２１の内部に突出するので、基準液を噴付ける勢いを得ることが可能である。また、第２の実施形態の較正用具によっても、錐体２９を嵌合孔２８に挿入する製造方法により多様な形状の注入口２７の形成が容易である。また、第２の実施形態の較正用具によっても、多様な種類の基準液、または多様な濃度の基準液を用いる場合に対して液交換を効果的に行い得る勢いで基準液を噴出させることが可能である。
【実施例】
【００４３】
次に、実施例により本発明の効果を説明するが、本実施例はあくまでも本発明の効果を説明する一例に過ぎず、本発明を限定するものではない。
【００４４】
表１に示す内径である注入口２７を有する、実施例１から実施例３の較正用具２０を作成した。なお、実施例１から実施例３における注入口２７の内径は、外面側から内面側に向かって内径が減少する。
【００４５】
【表１】
2014228388.tif 000003
【００４６】
実施例１から実施例３の較正用具２０を用いてセンサ１０の検出部１１に基準液をかけ、特定の物質の量を検出させた。各実施例の較正用具２０を用いた、特定の物質の量の検出を４回行った。実施例３の較正用具２０については、約２秒間かけた低速で較正用具２０を容器１２内に押込み、検出部１１に基準壁をかけ、特定の物質の量を検出させた。また、比較例１として、実施例１から実施例３の較正用具２０を用いずに、熟練者に検出部１１に向けて基準液を滴下させ、特定の物質の量の検出を行った。すなわち、比較例１は、理想的な滴下工程が実施された例である。さらに、比較例２として、実施例１から実施例３の較正用具２０を用いずに、通常の技量を有する者に検出部１１に向けて基準液を滴下させ、特定の物質の量の検出を行った。検出結果を表２に示した。
【００４７】
【表２】
2014228388.tif 000004
【００４８】
表２に示すように、実施例１から実施例３（通常挿入、低速挿入）のいずれにおいても、検出値の標準偏差および変動係数は、比較例２における標準偏差および変動係数より小さく、理想状態である比較例１に近い。したがって、実施例１から実施例３（通常挿入、低速挿入）ともに、比較例２に比べて検出値のばらつきが小さく、較正用具２０を用いることにより安定的な液交換が可能であることが分かる。
【００４９】
また、表２に示すように、実施例１および実施例２において、検出値の標準偏差および変動係数に優位な差が見出せない。したがって、注入口２７の内面側内径は検出値のばらつきに与える影響が比較的小さいことが分かる。
【００５０】
また、表２に示すように、実施例１および実施例２において、比較例１に対する平均値の差の絶対値を比較すると、実施例２の方が実施例１より小さく、理想状態である比較例１に近い。したがって、注入口２７の内面側内径が小さいことが、基準液の適切な検出に適していることが分かる。
【００５１】
また、表２に示すように、実施例２および実施例３（通常挿入）において、検出値の標準偏差および変動係数を比較すると、いずれも実施例３（通常挿入）の方が実施例２より小さく、理想状態である比較例１に近い。したがって、注入口２７の外面側内径が内面側内径に近いことが、検出値のばらつきを抑制させることが分かる。
【００５２】
また、表２に示すように、実施例２および実施例３（通常挿入）において、比較例１に対する平均値の差の絶対値を比較すると、実施例３（通常挿入）の方が実施例２より小さく、理想状態である比較例１に近い。したがって、注入口２７の外面側内径が内面側内径に近いことが、基準液の適切な検出に適していることが分かる。
【００５３】
また、表２に示すように、実施例３における通常の挿入と低速挿入において、検出値の標準偏差および変動係数、ならびに比較例１に対する平均値の差の絶対値を比較すると、いずれも、通常挿入における結果の方が小さい。したがって、挿入速度を早くすることが、検出値のばらつきを抑制させ且つ基準液の適切な検出に適していることが分かる。
【００５４】
また、表２に示すように、実施例１から実施例３（通常挿入）において、基準液噴出開始時の挿入量を比較すると、実施例２および実施例３が実質的に等しく、実施例１より長い。したがって、注入口２７の内面側内径が小さいことが、基準液噴出開始時の注入量の長大化に寄与し、基準液の噴出の勢いを大きくすることに貢献することが分かる。また、注入口２７の外面側内径は、基準液噴出開始時の注入量に与える影響が比較的小さいことが分かる。
【００５５】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００５６】
例えば、第１の実施形態および第２の実施形態において、外殻２１は底壁部２３および側壁部２４を有する円筒形状であるが、このような形状に限定されない。例えば、容器状であれば、内部に中空を有する角柱状または球状であっても第１の実施形態および第２の実施形態と同様の効果を得ることは可能である。
【００５７】
また、第１の実施形態および第２の実施形態において、底壁部２３の内面ＩＳが受圧部として機能する構成であるが、外殻２１のいずこかに設けられてもよい。例えば、側壁部２４の内側に鍔状の受圧部を形成し、当該受圧部をセンサ１０に形成する係合片に係合させることにより、センサ１０からかかる力を受ける構成であってもよい。
【００５８】
また、第１の実施形態および第２の実施形態において、排出口２６が形成されなくてもよい。外殻２１内部に流入した基準液を捨て、容器１２、１２０に新規に基準液を補充してもよい。外殻２１内部に流入した基準液が検出部１１に僅かに残留する保護液と混合することもあるので、排出口２６を形成せず、当該影響を抑制することも可能である。
【符号の説明】
【００５９】
１０  センサ
１１  検出部
１２  容器
１３，１３０  弾性体
１４０  スタンド
１５０  ガイド孔
１６０  ガイド溝部
１７０  把持部
２０、２００  較正用具
２１  外殻
２２  ガイド
２３  底壁部
２４  側壁部
２５  挿入孔
２６  排出口
２７  注入口
２８  嵌合孔
２９  錐体
３００  係合部
ＩＳ  底壁部の内面
Ｌｖ  液面
ＯＳ  底壁部の外面
ＳＬ  基準液
【図１】
2014228388.tif 000005
【図２】
2014228388.tif 000006
【図３】
2014228388.tif 000007
【図４】
2014228388.tif 000008
【図５】
2014228388.tif 000009
【図６】
2014228388.tif 000010
【図７】
2014228388.tif 000011
【図８】
2014228388.tif 000012
【図９】
2014228388.tif 000013
【図１０】
2014228388.tif 000014
【図１１】
2014228388.tif 000015
【図１２】
2014228388.tif 000016